(57)【要約】【課題】スナバコンデンサの電圧上昇を押さえ、スナバコンデンサのサージ吸収動作を確実にさせることができる３レベルインバータのスナバ回路を提供する。【解決手段】直流電源回路の正極端Ｐと負極端Ｎの間に主回路スイッチＰ側素子Ｔｒ１および主回路スイッチＮ側素子Ｔｒ４を直列に接続し、直流電源回路の中性点Ｍと交流入出力端ＡＣの間に主回路スイッチ中性点クランプ素子Ｔｒ２，Ｔｒ３を直列に接続し、前記Ｔｒ１のスナバ回路として、前記ＰとＡＣ間に直列接続されたスナバ用コンデンサＣ１、サブスイッチＳ１および逆阻止ダイオードｄ１と、前記Ｃ１およびＳ１の共通接続点とＭの間に接続されたスナバ用抵抗Ｒ１とを設け、前記Ｔｒ４のスナバ回路として、前記ＮとＡＣ間に直列接続されたスナバ用コンデンサＣ４、サブスイッチＳ４および逆阻止ダイオードｄ４と、前記Ｃ４およびＳ４の共通接続点とＭの間に接続されたスナバ用抵抗Ｒ４とを設けた。【選択図】図１
2014165965.tif 000002
【特許請求の範囲】
【請求項１】
電源中性点を有した直流電源回路の正極端と交流入出力端の間に接続された正極側スイッチング素子と、
前記直流電源回路の負極端と前記交流入出力端の間に接続された負極側スイッチング素子と、
前記電源中性点と前記交流入出力端の間に少なくとも２直列接続された、互いに逆の耐圧方向に制御できる中性点クランプ用スイッチング素子と、
前記少なくとも２直列接続された中性点クランプ用スイッチング素子の両端間に第１のスナバコンデンサおよび第１のスナバダイオードを直列接続し、該第１のスナバコンデンサおよび第１のスナバダイオードの共通接続点と前記直流電源回路の正極端の間に第１のスナバ抵抗を接続して構成された第１のスナバ回路と、
前記中性点クランプ用スイッチング素子の両端間に第２のスナバコンデンサおよび第２のスナバダイオードを直列接続し、該第２のスナバコンデンサおよび第２のスナバダイオードの共通接続点と前記直流電源回路の負極端の間に第２のスナバ抵抗を接続して構成された第２のスナバ回路と、
前記直流電源回路の正極端および正極側スイッチング素子の共通接続点と、前記交流入出力端の間に、第３のスナバコンデンサおよび逆阻止特性を有する第１のスイッチング手段を順次直列に接続し、前記第３のスナバコンデンサおよび第１のスイッチング手段の共通接続点と前記電源中性点の間に第３のスナバ抵抗を接続して構成された第３のスナバ回路と、
前記直流電源回路の負極端および負極側スイッチング素子の共通接続点と、前記交流入出力端の間に、第４のスナバコンデンサおよび逆阻止特性を有する第２のスイッチング手段を順次直列に接続し、前記第４のスナバコンデンサおよび第２のスイッチング手段の共通接続点と前記電源中性点の間に第４のスナバ抵抗を接続して構成された第４のスナバ回路と、
を備えたことを特徴とする３レベルインバータのスナバ回路。
【請求項２】
前記正極側スイッチング素子と前記一方の耐圧方向に制御できる中性点クランプ用スイッチング素子のオン、オフ制御は、第１の期間に、互いに逆転関係で同時に制御され、前記他方の耐圧方向に制御できる中性点クランプ用スイッチング素子は前記第１の期間にオン制御され、
前記負極側スイッチング素子と前記他方の耐圧方向に制御できる中性点クランプ用スイッチング素子のオン、オフ制御は、前記第１の期間に続く第２の期間に、互いに逆転関係で同時に制御され、前記一方の耐圧方向に制御できる中性点クランプ用スイッチング素子は前記第２の期間にオン制御され、
前記第１のスイッチング手段は前記第２の期間にオフ制御され、第１の期間にオン制御され、前記第２のスイッチング手段は前記第１の期間にオフ制御され、第２の期間にオン制御され、
前記第１および第２のスイッチング手段の各々のオン、オフの切り換えは、前記互いに逆の耐圧方向に制御できる中性点クランプ用スイッチング素子がともにオン制御されているタイミングで実行されることを特徴とする請求項１に記載の３レベルインバータのスナバ回路。
【発明の詳細な説明】
【技術分野】
【０００１】
本発明は、３レベルインバータのスナバ回路に係り、特にＡ−ＮＰＣ（Ａｄｖａｎｃｅｄ−Ｎｅｕｔｒａｌ  Ｐｏｉｎｔ  Ｃｌａｍｐｅｄ）方式３レベルインバータの、スナバに関するものである。
【背景技術】
【０００２】
３レベルインバータにおいては、従来のＩＧＢＴなどを代表とするスイッチング素子を４つ直列接続した方式（ＮＰＣ方式）の３レベルインバータの他に、特許文献１などに示されるような、直流電源正極側「Ｐ」と交流入出力部「ＡＣ」間に接続されるスイッチング素子、前記交流入出力部「ＡＣ」と直流電源負極側「Ｎ」間に接続されるスイッチング素子、および直流電源中性点「Ｍ」と前記交流入出力部「ＡＣ」間に双方向に接続されるスイッチング素子による中性点クランプ方式（以下、Ａ−ＮＰＣ方式）の３レベルインバータが知られている。
【０００３】
図８に、特許文献２に記載のＡ−ＮＰＣ方式３レベルインバータにおける公知のスナバ回路を示す。図８において、直流電圧源Ｅ１，Ｅ２を直列接続して直流電源回路を構成し、該直流電圧源Ｅ１，Ｅ２の共通接続点は直流電源中性点Ｍとなっている。
【０００４】
直流電圧源Ｅ１の正極端Ｐと直流電圧源Ｅ２の負極端Ｎの間には、主回路スイッチ正極側素子Ｔｒ１および主回路スイッチ負極側素子Ｔｒ４が直列に接続されている。前記主回路スイッチ正極側素子Ｔｒ１および主回路スイッチ負極側素子Ｔｒ４の共通接続点は交流入出力端ＡＣとなっている。
【０００５】
この交流入出力端ＡＣと直流電源中性点Ｍの間には、主回路スイッチ中性点クランプ素子Ｔｒ２（電流方向ＡＣ→Ｍ）および主回路スイッチ中性点クランプ素子Ｔｒ３（電流方向Ｍ→ＡＣ）が電流制御方向が逆向きに直列接続されている。
【０００６】
前記主回路スイッチ正極側素子Ｔｒ１および正極端Ｐの共通接続点と直流電源中性点Ｍの間には、スナバ用コンデンサ（サージ吸収用）Ｃ１およびスナバ用ダイオード（逆方向電流阻止用）Ｄ１が直列に接続されている。前記スナバ用コンデンサＣ１およびスナバ用ダイオードＤ１の共通接続点と直流電源中性点Ｍの間にはスナバ用抵抗Ｒ１が接続されている。
【０００７】
前記主回路スイッチ負極側素子Ｔｒ４および負極端Ｎの共通接続点と直流電源中性点Ｍの間には、スナバ用コンデンサ（サージ吸収用）Ｃ４およびスナバ用ダイオード（逆方向電流阻止用）Ｄ４が直列に接続されている。前記スナバ用コンデンサＣ４およびスナバ用ダイオードＤ４の共通接続点と直流電源中性点Ｍの間にはスナバ用抵抗Ｒ４が接続されている。
【０００８】
前記主回路スイッチの各素子Ｔｒ１〜Ｔｒ４は例えばＩＧＢＴによって構成され、前記正極側素子Ｔｒ１および負極側素子Ｔｒ４と中性点クランプ素子Ｔｒ２，Ｔｒ３をまとめて、スナバ用コンデンサＣ１，Ｃ４、スナバ用ダイオードＤ１，Ｄ４およびスナバ用抵抗Ｒ１，Ｒ４から成るスナバ回路によって保護している。
【０００９】
このスナバ回路による保護方式では、スイッチング素子間の距離が短くリアクタンス成分が小さい３レベルインバータの用途で適用されている複数素子入りのＩＧＢＴモジュール（単相又は３相）をブリッジ回路として使用する等、１つのスイッチング素子で構成されているＩＧＢＴモジュールに比べて比較的少容量な定格が前提で使用されるスナバ回路である。このため、大容量のＡ−ＮＰＣ方式の３レベルインバータでは、スイッチング素子の定格容量の制限を超えてしまい、複数素子入りのＩＧＢＴモジュールが使えないという問題があった。
【００１０】
また、大容量の１つのスイッチング素子で構成されるＩＧＢＴモジュールを組み合わせてブリッジ回路として使用する場合には、ＩＧＢＴ素子間の距離が離れて素子間のリアクタンス成分が大きくなるため、図８のような主回路スイッチ正極側素子Ｔｒ１、主回路スイッチ負極側素子Ｔｒ４と中性点クランプ素子Ｔｒ２，Ｔｒ３をまとめて保護するスナバ回路方式では、サージ電圧の抑制が不十分となる。
【００１１】
そこで、例えば図９に示すように主回路スイッチの正極側素子Ｔｒ１、負極側素子Ｔｒ４と中性点クランプ素子Ｔｒ２，Ｔｒ３とでスナバ回路を分ける必要がある。
【００１２】
図９において図８と同一部分は同一符号をもって示している。図９において、主回路スイッチ正極側素子Ｔｒ１および正極端Ｐの共通接続点と交流入出力端ＡＣの間にはスナバ用コンデンサＣ１およびスナバ用ダイオードＤ１が直列に接続されている。前記スナバ用コンデンサＣ１およびスナバ用ダイオードＤ１の共通接続点と直流電源中性点Ｍの間には、スナバ用抵抗Ｒ１が接続されている。
【００１３】
主回路スイッチ負極側素子Ｔｒ４および負極端Ｎの共通接続点と交流入出力端ＡＣの間にはスナバ用コンデンサＣ４およびスナバ用ダイオードＤ４が直列に接続されている。前記スナバ用コンデンサＣ４およびスナバ用ダイオードＤ４の共通接続点と直流電源中性点Ｍの間には、スナバ用抵抗Ｒ４が接続されている。
【００１４】
前記中性点クランプ素子Ｔｒ２およびＴｒ３の直列回路の両端間には、スナバ用コンデンサＣ２およびスナバ用ダイオードＤ２の直列回路と、スナバ用コンデンサＣ３およびスナバ用ダイオードＤ３の直列回路とが並列に接続されている。
【００１５】
前記スナバ用コンデンサＣ２およびスナバ用ダイオードＤ２の共通接続点と前記正極端Ｐの間にはスナバ用抵抗Ｒ２が接続されている。
【００１６】
前記スナバ用コンデンサＣ３およびスナバ用ダイオードＤ３の共通接続点と前記負極端Ｎの間にはスナバ用抵抗Ｒ３が接続されている。
【００１７】
図９では、主回路スイッチ正極側素子Ｔｒ１のオフ時に、この正極側素子Ｔｒ１のコレクタ−エミッタ間に印加されるサージ電圧を抑制する目的でＣＲＤスナバ（Ｃ１，Ｒ１，Ｄ１）が設けられ、主回路スイッチ負極側素子Ｔｒ４のオフ時に、この負極側素子Ｔｒ４のコレクタ−エミッタ間に印加されるサージ電圧を抑制する目的でＣＲＤスナバ（Ｃ４，Ｒ４，Ｄ４）が設けられ、中性点クランプ素子Ｔｒ２のオフ時に、この中性点クランプ素子Ｔｒ２のコレクタ−エミッタ間に印加されるサージ電圧を抑制する目的でＣＲＤスナバ（Ｃ２，Ｒ２，Ｄ２）が設けられ、中性点クランプ素子Ｔｒ３のオフ時に、この中性点クランプ素子Ｔｒ３のコレクタ−エミッタ間に印加されるサージ電圧を抑制する目的でＣＲＤスナバ（Ｃ３，Ｒ３，Ｄ３）が設けられている。
【先行技術文献】
【特許文献】
【００１８】
【特許文献１】特開昭５６−１２１３７４号公報
【特許文献２】特開２０１０−２５２５４８号公報
【発明の概要】
【発明が解決しようとする課題】
【００１９】
図９の回路において、正極側端子Ｐと負極側端子Ｎ間の主回路スイッチ正極側素子Ｔｒ１または負極側素子Ｔｒ４の片側がＯＮすると、このＯＮしたスイッチング素子とは反対側のスイッチングそしに、正極側端子Ｐ−直流電源中性点Ｍ間の直流電圧源Ｅ１の電圧Ｖ１[Ｖ]と直流電源中性点Ｍ−負極側端子Ｎ間の直流電圧源Ｅ２の電圧Ｖ２[Ｖ]の合計電圧が印加される。
【００２０】
このときＶ１[Ｖ]＝Ｖ２[Ｖ]＝Ｖ[Ｖ]とすると、直流電源中性点Ｍに対してＯＮしたスイッチング素子とは反対側のスイッチング素子のスナバ用コンデンサに２Ｖ[Ｖ]の電圧が充電される。その後に、この反対側のスイッチング素子をスイッチングによりＯＮする際、当該スイッチング素子に（Ｖ１[Ｖ]＋導体リアクトル分サージ）の電圧が発生するが、スナバ用コンデンサは前記のように２Ｖ[Ｖ]の電圧に充電されている。主回路スイッチ正極側素子Ｔｒ１を例に挙げると、この正極側素子Ｔｒ１がＯＮした場合、直流電源中性点Ｍに対して反対側の主回路スイッチ負極側素子Ｔｒ４に合計電圧２Ｖ[Ｖ]の電圧が印加される。このとき、スナバ用コンデンサＣ４が２Ｖ[Ｖ]に充電される。その後、主回路スイッチ正極側素子Ｔｒ１がＯＮ→ＯＦＦで負極側素子Ｔｒ４をＯＦＦする際、主回路スイッチ負極側素子Ｔｒ４に（Ｖ[Ｖ］＋サージ）の電圧が印加されるが、スナバ用コンデンサＣ４が２Ｖ[Ｖ]に充電されており、主回路スイッチ負極側素子Ｔｒ４のサージ電圧＜スナバ用コンデンサＣ４の電圧となる。
【００２１】
このため、上記の例では主回路スイッチ負極側素子Ｔｒ４のサージ電圧がスナバ用コンデンサＣ４にて吸収されず、サージ電圧が抑制できない状態になる。このサージ電圧に起因して電磁ノイズが発生し、制御装置など周辺機器に対して悪影響を与える場合がある。また、スナバ回路のスナバコンデンサの定格電圧は最低でも２Ｅ[Ｖ]必要となり、コスト増になる。
【００２２】
本発明は上記課題を解決するものであり、その目的は、スナバコンデンサの電圧上昇を押さえ、スナバコンデンサのサージ電圧の吸収動作を確実にさせることができる３レベルインバータのスナバ回路を提供することにある。
【課題を解決するための手段】
【００２３】
上記課題を解決するための請求項１に記載の３レベルインバータのスナバ回路は、電源中性点を有した直流電源回路の正極端と交流入出力端の間に接続された正極側スイッチング素子と、前記直流電源回路の負極端と前記交流入出力端の間に接続された負極側スイッチング素子と、前記電源中性点と前記交流入出力端の間に少なくとも２直列接続された、互いに逆の耐圧方向に制御できる中性点クランプ用スイッチング素子と、前記少なくとも２直列接続された中性点クランプ用スイッチング素子の両端間に第１のスナバコンデンサおよび第１のスナバダイオードを直列接続し、該第１のスナバコンデンサおよび第１のスナバダイオードの共通接続点と前記直流電源回路の正極端の間に第１のスナバ抵抗を接続して構成された第１のスナバ回路と、前記中性点クランプ用スイッチング素子の両端間に第２のスナバコンデンサおよび第２のスナバダイオードを直列接続し、該第２のスナバコンデンサおよび第２のスナバダイオードの共通接続点と前記直流電源回路の負極端の間に第２のスナバ抵抗を接続して構成された第２のスナバ回路と、前記直流電源回路の正極端および正極側スイッチング素子の共通接続点と、前記交流入出力端の間に、第３のスナバコンデンサおよび逆阻止特性を有する第１のスイッチング手段を順次直列に接続し、前記第３のスナバコンデンサおよび第１のスイッチング手段の共通接続点と前記電源中性点の間に第３のスナバ抵抗を接続して構成された第３のスナバ回路と、前記直流電源回路の負極端および負極側スイッチング素子の共通接続点と、前記交流入出力端の間に、第４のスナバコンデンサおよび逆阻止特性を有する第２のスイッチング手段を順次直列に接続し、前記第４のスナバコンデンサおよび第２のスイッチング手段の共通接続点と前記電源中性点の間に第４のスナバ抵抗を接続して構成された第４のスナバ回路と、を備えたことを特徴としている。
【００２４】
上記構成によれば、スナバコンデンサの電圧がスイッチング素子の電圧を超えることがないため、スイッチング素子のサージ電圧をスナバコンデンサによって確実に吸収することができる。
【００２５】
また請求項２に記載の３レベルインバータのスナバ回路は、請求項１において、前記正極側スイッチング素子と前記一方の耐圧方向に制御できる中性点クランプ用スイッチング素子のオン、オフ制御は、第１の期間に、互いに逆転関係で同時に制御され、前記他方の耐圧方向に制御できる中性点クランプ用スイッチング素子は前記第１の期間にオン制御され、前記負極側スイッチング素子と前記他方の耐圧方向に制御できる中性点クランプ用スイッチング素子のオン、オフ制御は、前記第１の期間に続く第２の期間に、互いに逆転関係で同時に制御され、前記一方の耐圧方向に制御できる中性点クランプ用スイッチング素子は前記第２の期間にオン制御され、前記第１のスイッチング手段は前記第２の期間にオフ制御され、第１の期間にオン制御され、前記第２のスイッチング手段は前記第１の期間にオフ制御され、第２の期間にオン制御され、前記第１および第２のスイッチング手段の各々のオン、オフの切り換えは、前記互いに逆の耐圧方向に制御できる中性点クランプ用スイッチング素子がともにオン制御されているタイミングで実行されることを特徴としている。
【００２６】
上記構成によれば、第１および第２のスイッチング手段の各々のオン、オフの切り換えは、両方の中性点クランプ用スイッチング素子がともにオン制御されているタイミングで実行されるので、スナバコンデンサの電圧上昇を確実に抑えることができ、これによりスナバコンデンサの電圧上昇を確実に抑えることが可能となり、これによってスナバコンデンサのサージ吸収動作がより確実となる。
【発明の効果】
【００２７】
（１）請求項１、２に記載の発明によれば、スナバコンデンサの電圧がスイッチング素子の電圧を超えることがないため、スイッチング素子のサージ電圧をスナバコンデンサによって確実に吸収することができる。これによって、電磁ノイズ発生低減および周辺機器の誤動作防止が可能となる。
（２）請求項２に記載の発明によれば、スナバコンデンサの電圧上昇を確実に抑えることができ、これによりスナバコンデンサの電圧上昇を確実に抑えることが可能となり、これによってスナバコンデンサのサージ吸収動作がより確実となる。
【図面の簡単な説明】
【００２８】
【図１】本発明の実施例１の回路図。
【図２】本発明の実施例１における上側スイッチ素子のスイッチング時の状態を表す回路図。
【図３】本発明の実施例１におけるスナバのサージ吸収から回生までの動きを表す回路図。
【図４】本発明の実施例１における電流阻止の状態を表す回路図。
【図５】本発明の実施例１における下側スイッチ素子のスイッチング時の状態を表す回路図。
【図６】本発明の実施例１における主回路スイッチとサブスイッチのタイムチャート。
【図７】本発明の実施例２の回路図。
【図８】従来のＡ−ＮＰＣ方式のスナバ回路の一例を示す回路図。
【図９】従来のＡ−ＮＰＣ方式のスナバ回路の他の例を示す回路図。
【発明を実施するための形態】
【００２９】
以下、図面を参照しながら本発明の実施の形態を説明するが、本発明は下記の実施形態例に限定されるものではない。図１は本発明の実施例１におけるスナバ回路の回路図を示し、図９と同一部分は同一符号をもって示している。
【００３０】
図１において図９と異なる点は、スナバ用コンデンサＣ１と交流入出力端ＡＣの間に、前記スナバ用ダイオードＤ１に代えて、サブスイッチＳ１および逆阻止ダイオードｄ１を直列に接続し、スナバ用コンデンサＣ４と交流入出力端ＡＣの間に、前記スナバ用ダイオードＤ４に代えて、サブスイッチＳ４および逆阻止ダイオードｄ４を直列に接続した点にあり、その他の部分は図９と同一に構成されている。
【００３１】
前記サブスイッチＳ１，Ｓ４はＭＯＳ−ＦＥＴの他、サイリスタ、トランジスタ、ＩＧＢＴ等で構成してもよい。
【００３２】
図２〜図５は実施例１の動作を説明するための回路図（図１と同じ回路図）であり、図６はタイムチャートである。まず図２に示すように、主回路スイッチ中性点クランプ素子Ｔｒ３がＯＮし、主回路スイッチ正極側素子Ｔｒ１および主回路スイッチ中性点クランプ素子Ｔｒ２が互い違いにスイッチングしている期間（図２の主回路スイッチ正極側素子Ｔｒ１がスイッチングしている期間：第１の期間）は、サブスイッチＳ１をＯＮし、サブスイッチＳ４をＯＦＦとする。
【００３３】
これによってスナバ用コンデンサＣ１、スナバ用抵抗Ｒ１および逆阻止ダイオードｄ１がＣＲＤスナバとして作用し、主回路スイッチ正極側素子Ｔｒ１の電圧サージが吸収される。
【００３４】
また、このときサブスイッチＳ４がＯＦＦのためスナバ用コンデンサＣ４への充電が阻止され、スナバ用コンデンサＣ４に直流電圧源Ｅ１とＥ２の合計電圧が印加されることは防止される。
【００３５】
具体的には、主回路スイッチ正極側素子Ｔｒ１がＯＦＦすると（図２の主回路スイッチ正極側素子Ｔｒ１がスイッチングしている期間におけるＯＦＦタイミング時）、図３に一点鎖線で示すように、主回路を構成する導体リアクトル分エネルギーがスナバ用コンデンサＣ１→サブスイッチＳ１→逆阻止ダイオードｄ１→交流入出力端ＡＣの経路を通過し、スナバ用コンデンサＣ１がサージ電圧を吸収し、該コンデンサＣ１の電圧がＥ（Ｖ）よりも増加した場合、図３に点線で示すように、スナバコンデンサＣ１に吸収されたサージ電圧はスナバ用抵抗Ｒ１経由で放電し、直流電圧源Ｅ１に回生される。
【００３６】
尚、サブスイッチＳ１自身の寄生逆並列ダイオードによる放電経路は、図４に一点鎖線で示すように逆阻止ダイオードｄ１により阻止されるため逆方向に電流は流れず、スナバ用コンデンサＣ１の電圧が制限抵抗（スナバ用抵抗Ｒ１）を経由せずに放電することはない。
【００３７】
また、主回路スイッチ正極側素子Ｔｒ１がＯＮしているとき（図２の主回路スイッチ正極側素子Ｔｒ１のスイッチング期間におけるＯＮタイミング時）は、図４に点線で示すように、逆阻止ダイオードｄ１により阻止されるため、スナバ用コンデンサＣ１が主回路スイッチ正極側素子Ｔｒ１およびサブスイッチＳ１の寄生逆並列ダイオード経由で短絡することはない。
【００３８】
次に図５に示すように、主回路スイッチ中性点クランプ素子Ｔｒ２がＯＮし、主回路スイッチ負極側素子Ｔｒ４および主回路スイッチ中性点クランプ素子Ｔｒ３が互い違いにスイッチングしている期間（図５の主回路スイッチ負極側素子Ｔｒ４がスイッチングしている期間：第２の期間）は、サブスイッチＳ１をＯＦＦし、サブスイッチＳ４をＯＮとする。
【００３９】
これによって図２〜図４の場合と同様に、スナバ用コンデンサＣ４、スナバ用抵抗Ｒ４および逆阻止ダイオードｄ４がＣＲＤスナバとして作用し、主回路スイッチ正極側素子Ｔｒ４の電圧サージが吸収される。
【００４０】
また、このときサブスイッチＳ１がＯＦＦのためスナバ用コンデンサＣ１への充電が阻止され、スナバ用コンデンサＣ１に直流電圧源Ｅ１とＥ２の合計電圧が印加されることは防止される。
【００４１】
尚、前記サブスイッチＳ１，Ｓ４の各々のＯＮ，ＯＦＦの切り換えは、主回路スイッチ正極側素子Ｔｒ１のスイッチング期間と、主回路スイッチ負極側素子Ｔｒ４のスイッチング期間との切り換わりで、かつ主回路スイッチ中性点クランプ素子Ｔｒ２，Ｔｒ３がともにＯＮのタイミングで実行される。
【００４２】
すなわち、図２の主回路スイッチ正極側素子Ｔｒ１がスイッチングしている期間→図５の主回路スイッチ負極側素子Ｔｒ４がスイッチングしている期間（又は主回路スイッチ負極側素子Ｔｒ４がスイッチングしている期間→主回路スイッチ正極側素子Ｔｒ１がスイッチングしている期間）に切り換えるタイミングにおいて、主回路スイッチ中性点クランプ素子Ｔｒ２，Ｔｒ３がともにＯＮとなる時刻Ｔｘに行う。
【００４３】
これによって、スナバ用コンデンサＣ１，Ｃ４の電圧上昇を確実に抑えることができ、サージ吸収動作が確実なものとなる。
【００４４】
尚、スナバ用コンデンサＣ１，Ｃ４の予備充電時は、スナバ用抵抗Ｒ１，Ｒ４が突入電流防止抵抗として働き、前記コンデンサＣ１，Ｃ４に過電流が流れることが防止される。
【００４５】
図７は本発明の実施例２の回路図を示している。図７において図１と異なる点は、サブスイッチＳ１および逆阻止ダイオードｄ１の代わりに、逆阻止型サブスイッチ（例えばリバースブロッキングＩＧＢＴ）Ｓ’１が接続され、サブスイッチＳ４および逆阻止ダイオードｄ４の代わりに、逆阻止型サブスイッチ（例えばリバースブロッキングＩＧＢＴ）Ｓ’４が接続されている点にあり、その他の部分は図１と同一に構成されている。
【００４６】
本実施例２においては、前記逆阻止ダイオードｄ１、ｄ４が無くても逆阻止型サブスイッチＳ’１、Ｓ’４自体が前記ｄ１、ｄ４の逆阻止機能を有しているため、前記実施例１と同様の原理でスナバ動作、制御が行える。
【００４７】
以上のように実施例１、２によれば、スナバ用コンデンサ（Ｃ１，Ｃ４）の電圧がスイッチング素子（Ｔｒ１，Ｔｒ４）の電圧を超えることがないので、スイッチング時にスナバ回路によりサージ電圧を吸収する動作が確実になり（スナバ回路の機能が有効になり）、電磁ノイズ発生低減および周辺機器の誤動作防止ができる。
【００４８】
また、スナバ用コンデンサの低電圧化が可能になり（２Ｅ[Ｖ］の電圧が必要であったが、Ｅ[Ｖ］＋導体リアクトル分サージまで下げられる）、スナバ用コンデンサの小型化およびコストダウンが可能となる。
【符号の説明】
【００４９】
Ｅ１，Ｅ２…直流電圧源
Ｃ１〜Ｃ４…スナバ用コンデンサ
Ｄ１〜Ｄ４…スナバ用ダイオード
ｄ１、ｄ４…逆阻止ダイオード
Ｒ１〜Ｒ４…スナバ用抵抗
Ｔｒ１…主回路スイッチ正極側素子
Ｔｒ２，Ｔｒ３…主回路スイッチ中性点クランプ素子
Ｔｒ４…主回路スイッチ負極側素子
Ｓ１，Ｓ４…サブスイッチ
Ｓ’１、Ｓ’４…逆阻止型サブスイッチ
【図１】
2014165965.tif 000003
【図２】
2014165965.tif 000004
【図３】
2014165965.tif 000005
【図４】
2014165965.tif 000006
【図５】
2014165965.tif 000007
【図６】
2014165965.tif 000008
【図７】
2014165965.tif 000009
【図８】
2014165965.tif 000010
【図９】
2014165965.tif 000011